(57)【特許請求の範囲】
【請求項１】
液体透過性表面と反対側の液体不透過性表面とを有する吸収性製品（２００）であって、前記吸収性製品（２００）が、キャリア材料（２）と前記キャリア材料（２）に接着された複数の臭気制御粒子（５）とを含む臭気制御材料（１）を備え、前記吸収性製品（２００）が、液体透過性のトップシート（２４）、液体不透過性のバックシート（８）、及び前記トップシート（２４）と前記バックシート（８）との間に封入された吸収性コア（９）を備える吸収性製品（２００）において、前記臭気制御材料（１）が、前記トップシート（２４）と前記吸収性コア（９）との間に位置し、前記キャリア材料（２）は、前記吸収性製品（２００）の前記液体透過性表面の方に位置する第１の表面と、前記吸収性コア（９）の方に位置する反対側の第２の表面とを有しており、複数の臭気制御粒子（５）が、活性炭で構成され、且つ、水溶性のバインダー物質で前記キャリア材料（２）の第２の表面に結合されており、前記バインダー物質は、水溶液に接触したときに少なくとも部分的に溶解し、
前記複数の臭気制御粒子は、前記キャリア材料の前記第２の表面上にのみあることを特徴とする、吸収性製品（２００）。
【請求項２】
前記水溶性のバインダーが、４０ｋＤａ以下の分子量を有することを特徴とする、請求項１に記載の吸収性製品（２００）。
【請求項３】
前記水溶性のバインダーが、親水性ポリマーを含むことを特徴とする、請求項２に記載の吸収性製品（２００）。
【請求項４】
前記親水性ポリマーが、ポリビニルピロリドン、ポリエチレンオキシドポリアクリル酸、澱粉、または澱粉の誘導体であることを特徴とする、請求項３に記載の吸収性製品（２００）。
【請求項５】
前記水溶性のバインダーが、親水性の低分子量化合物を含むことを特徴とする、請求項２〜４の何れか一項に記載の吸収性製品（２００）。
【請求項６】
前記親水性の低分子量化合物が、単糖類、二糖類、糖アルコール類、またはポリオール類であることを特徴とする、請求項５に記載の吸収性製品（２００）。
【請求項７】
前記キャリア材料（２）の前記第１の表面が界面活性剤で処理されることを特徴とする、請求項１から６の何れか一項に記載の吸収性製品（２００）。
【請求項８】
前記水溶性のバインダー物質が、添加剤を含むことを特徴とする、請求項１から７の何れか一項に記載の吸収性製品（２００）。
【請求項９】
前記添加剤が、可塑剤、安定剤、分散性改善剤、ｐＨ調整剤、抗菌物質、界面活性剤、又はそれらの混合物であることを特徴とする、請求項８に記載の吸収性製品（２００）。
【請求項１０】
バインダー物質対臭気制御粒子（５）の重量比が、１：１０から１０：１であることを特徴とする、請求項１から９の何れか一項に記載の吸収性製品（２００）。
【請求項１１】
前記キャリア材料（２）が不織布材料であることを特徴とする、請求項１から１０の何れか一項に記載の吸収性製品（２００）。
【請求項１２】
前記キャリア材料（２）が発泡体材料であることを特徴とする、請求項１から１０の何れか一項に記載の吸収性製品（２００）。
【請求項１３】
前記臭気制御材料（１）が、前記吸収性製品（２００）の水平面における総表面積の５〜１００％を覆うことを特徴とする、請求項１から１２の何れか一項に記載の吸収性製品（２００）。
【請求項１４】
前記臭気制御材料（１）が、前記吸収性製品（２００）の水平面における総表面積の５〜６０％を覆うことを特徴とする、請求項１から１３の何れか一項に記載の吸収性製品（２００）。
【請求項１５】
前記キャリア材料（２）が、複数の開口を設けるために、穿孔され、又はスリットが入れられていることを特徴とする、請求項１から１４の何れか一項に記載の吸収性製品（２００）。
【発明の詳細な説明】
【技術分野】
【０００１】
本発明は、流体透過性表面と反対側の液体不透過性表面とを有する吸収性製品であって、キャリア材料とキャリア材料に接着された複数の臭気制御粒子とを含む臭気制御材料を備える吸収性製品に関する。
【背景技術】
【０００２】
失禁用製品のような吸収性製品の使用に関連する臭気防止は、消費者にとって重要な心地良さの要因である。尿などの体液は吸収性製品に集められて蓄えられ、且つ、臭気は容易に立ちのぼる。着用者にとって、これらの臭気が周囲に広がらないことが重要である。着用者は、吸収性製品を使用する際に、漏れおよび臭気の防止または制御の両方に関して、安心を感じる必要がある。
【０００３】
吸収性製品の分野において、臭気を防止するためにいくつかの異なる解決策が用いられる。例えば、臭気は、香料または脱臭化合物の使用によって隠され得る。また、臭気は、活性炭、ゼオライトおよび澱粉系微粒子材料などの、大きい表面積を持つ粒子に吸着または吸収されてもよい。また、酸性および／またはアルカリ性の臭気は、重曹および／またはクエン酸などの物質の使用によって中和されてもよい。細菌抑制に関して、低いｐＨを有する物質または金属塩は使用され得る。したがって、異なる臭気制御剤が、異なる方法で臭気を防止するために使用されてもよい。
【０００４】
活性炭、ゼオライトおよび澱粉系材料のような粒子形状の臭気制御剤は、粒子の大きい表面積に起因して、優れた臭気−吸着特性を有することが証明されている。しかしながら、粉末形状であってもよいそのような臭気制御剤の使用に関していくつかの欠点があり、例えば、そのような粉末は、ダスティングの問題に起因して、乾式工程において取り扱いが非常に困難である。粉末は、処理設備および製品の両方を汚染する可能性がある。
【０００５】
先行技術において、例えば下記の特許文献１によって開示されるような粉末のダスティングの問題を低減させる試みがあり、その中で、臭気制御剤の粒子は不織布または紙ウェブのような繊維状ベースのウェブに結合される。多孔質ベースのウェブは、臭気−吸収粒子および結合剤を界面活性剤と一緒に含有する飽和したスラリーに浸漬される。過剰なスラリーは、次いで、ウェブから絞られ、ウェブは乾燥される。
【０００６】
また、粒子形状の臭気制御剤は、吸収性製品において均一な様式で分散するのが困難である可能性がある。例えば、雰囲気の湿気は粒子に塊を形成させ、およびこれは、製造工程においておよびその結果として最終製品において、不均一な分布を引き起こす可能性がある。
【０００７】
例えば活性炭粒子のような、ある臭気吸着粒子は疎水性であるので、これらの粒子が製品における吸収性を損なわないことも重要である。
【０００８】
したがって、吸収性製品の製造の間の粒子形状の臭気制御剤の取り扱いを改善する必要性、およびまた、臭気吸着／吸収性および液体吸収性が維持されまたは改善されることを保証する必要性が依然としてある。
【先行技術文献】
【特許文献】
【０００９】
【特許文献１】欧州特許出願公開第０３９２５２８号明細書
【発明の概要】
【発明が解決しようとする課題】
【００１０】
本発明の目的は、効果的な臭気制御システムを有する吸収性製品を提供することである。本発明のさらなる目的は、最終製品における吸収性を損なうことなく効果的な臭気制御システムが得られるように、最終製品における臭気制御粒子の分布を改善することである。本発明のさらなる目的は、製造工程における臭気制御粒子の取り扱いを改善することである。
【００１１】
これらの目的は、流体透過性表面及び反対側の液体不透過性表面を有する吸収性製品であって、キャリア材料及びキャリア材料に接着された複数の臭気制御粒子を含む臭気制御材料を備える吸収性製品によって達成される。さらに、キャリア材料は、吸収性製品の流体透過性表面の方に位置する第１の表面と、吸収性製品の液体不透過性表面の方に位置する反対側の第２の表面と、を有しており、ここで、複数の臭気制御粒子は、水溶性バインダー物質でキャリア材料の第２の表面に結合されている。水溶性バインダー物質は、水溶液に接触したときに少なくとも部分的に溶解する能力がある。吸収性製品の液体不透過性表面の方に位置するキャリア層の表面に結合された複数の臭気制御粒子を有することによって、使用者からの水溶液は、それが臭気制御粒子に入る前にバインダー物質に入る。尿などの使用者からの水溶液は、このようにして、バインダーを素早く溶解させることができる。このように、臭気制御粒子の大きな総表面積は、臭気吸着に利用できる。
【００１２】
吸収性製品は、流体透過性のトップシート及び液体不透過性のバックシートと、トップシートとバックシートとの間に封入された吸収性コアと、を備えており、臭気制御材料が、キャリア材料の第２の表面が吸収性コアの方に位置する状態で、トップシートと吸収性コアとの間に位置してもよい。
【００１３】
臭気制御粒子は、活性炭、ゼオライトもしくは澱粉系臭気制御粒子、またはそれらの混合物であってもよい。これにより、例えば臭気制御粒子が活性炭粒子である場合、尿などの使用者からの水溶液は、まずキャリア材料に入り、その後、バインダー物質に入り、最後に活性炭粒子に入る。炭素粒子が大きい表面積を有することは臭気吸着にとって重要であるので、使用者からの水溶液がバインダー物質に非常に素早く入り、それによって、活性炭粒子の表面積の大部分が臭気吸着に利用されるように、バインダー物質が溶解してキャリア材料から活性炭粒子を放出させることができることが重要であることがわかった。
【００１４】
１つの実施形態によると、水溶性バインダー物質は、４０ｋＤａ以下の分子量を有する。
【００１５】
水溶性バインダーは、ポリビニルピロリドン、ポリエチレンオキシドポリアクリル酸、澱粉、または澱粉の誘導体などの親水性ポリマーを含んでいてもよい。
【００１６】
水溶性バインダーは、グルコースまたはその類似物などの単糖類、スクロースまたはその類似物などの二糖類、キシリトールまたはその類似物などの糖アルコール類、またはポリエチレングリコールまたはその類似物などのポリオール類のような親水性の低分子量化合物を含んでいてもよい。
【００１７】
また、水溶性バインダーは、ポリビニルピロリドン、ポリエチレンオキシドポリアクリル酸、澱粉または澱粉の誘導体、のような親水性ポリマーと、グルコースまたは類似物のような単糖類、スクロースまたは類似物のような二糖類、キシリトールまたは類似物のような糖アルコール類、またはポリエチレングリコールまたは類似物のようなポリオール類、のような低分子量化合物と、の混合物を含んでいてもよい。
【００１８】
バインダーは、液体が臭気制御材料を濡らした後、直ちに、少なくとも部分的に溶解する必要がある。「直ちに」とは、液体がバインダー物質に到達してから２秒未満内を意味する。
【００１９】
１つの実施形態によると、水溶性バインダー物質は、可塑剤や、安定剤、分散性改善剤、ｐＨ調整剤、抗菌物質、界面活性剤などの添加剤も含んでいてもよい。
【００２０】
水溶性バインダー物質が１つの界面活性剤や異なる界面活性剤の混合物を含む利点は、水溶性バインダー物質が、界面活性剤が無いものよりも容易に水溶液に溶解されることである。
【００２１】
１つの実施形態によると、水溶性バインダー物質対臭気制御粒子の重量比は、１：１０から１０：１である。
【００２２】
キャリア材料は、不織布材料、織物材料、又は発泡体材料であってもよい。不織布や織物は、１５から４０ｇ／ｍ２の間、或いは１８から２５ｇ／ｍ２の米坪を有してもよい。発泡体材料は、１５から１００ｇ／ｍ２の米坪を有してもよい。
【００２３】
１つの実施形態によると、キャリア材料の表面の少なくとも一方が界面活性剤で処理される。また、界面活性剤はキャリア材料の両面に塗布されてもよい。界面活性剤は、キャリア材料の一方または両方の表面に、後で別の過程で塗布されるバインダー物質とは別の１つの過程で塗布されてもよい。しかしながら、別の実施形態によると、界面活性剤は、バインダーと混合され、その後、混合物が、塗布される。また、別の過程でキャリア材料を界面活性剤で処理しつつ、バインダー物質と混合された１つ又は複数の界面活性剤を有することもも可能である。
【００２４】
さらに別の実施形態によると、キャリア材料が穿孔されたりスリットが入れられたりして複数の開口がもたらされる。しかしながら、液体が水溶性バインダー物質に接触することが必須である。そもなければ、水溶性バインダー物質を溶解させることができないであろう。したがって、小さいサイズの多数の開口部は、大きいサイズのほんの少しの開口部に比べて有利である。
【００２５】
臭気制御材料は、吸収性製品の水平面における総表面積の５〜１００％を覆ってもよい。別の実施形態では、臭気制御材料は、吸収性製品の水平面における総表面積の５〜６０％を覆ってもよい。
【図面の簡単な説明】
【００２６】
本発明に係る様々な実施形態の実施例が、下記の添付図面にさらに図示されている。
【００２７】
【図１】本発明に係る臭気制御材料を示す図である。
【図２Ａ】吸収性製品が着用されたときに使用者に面するであろう側から見た、臭気制御材料を備える吸収性製品を示す図である。
【図２Ｂ】線ＩＩ−ＩＩに沿った、図２Ａの吸収性製品の断面図である。
【発明を実施するための形態】
【００２８】
図１は、本発明に係る臭気制御材料を示している。臭気制御材料１は、第１の表面３を有するキャリア材料２を含む。複数の臭気制御粒子５は、キャリア材料２の第２の表面４に水溶性バインダー物質で結合されており、バインダー物質は、水溶液と接触したときに少なくとも部分的に溶解する。
【００２９】
活性炭の粒子５は、ＡＳＴＭ−Ｄ５１５８に従って測定される約０．１μｍ〜１０００μｍの粒子サイズを有していてもよく、好ましくは、約１μｍから約２５０μｍである。０．１μｍよりも小さなサイズを有する粒子は、しばしば取り扱いが困難である。一方で、２５０μｍより大きい粒子は、吸収性製品において、臭気制御剤が使用された最終製品において、心地が悪く、または平らでなく感じる可能性がある。したがって、粒子は、それらの粒子が例えば皮膚刺激を生じさせないように、十分に微細である、すなわち小さいべきである。
【００３０】
比表面積は製品の物理的特性に依存し、例えば、澱粉系微粒子剤のＢＥＴ比表面積が約５ｍ２／ｇから５００ｍ２／ｇであってもよい。粒子の比表面積が大きいほど、臭気吸着性能は良くなる。
【００３１】
バインダーは少なくとも部分的に溶解するので、活性炭粒子の表面の一部には、バインダー物質が無く、臭気物質を吸着する効率を増大させることができる。好ましくは、水溶性材料は、水又は水溶液に完全に溶解する。
【００３２】
図２Ａおよび図２Ｂに示される吸収性製品は、パッド２００の形状の尿失禁プロテクターである。パッド２００は、着用されているときに着用者の身体に向かって面するように意図されたパッドの側から見られる。パッド２００は、液体透過性トップシート２４と、液体不透過性バックシート８と、トップシート２４とバックシート８との間に封入された吸収性コア９と、トップシート２４と吸収性コア９との間に配置される臭気制御材料１と、を含む。
【００３３】
パッド２００のトップシート２４およびバックシート８は、吸収性コア９の全周に沿って吸収性コア９の横方向外側に共に延び、および吸収性コア９の周辺を囲む縁接合部１０において互いに接続される。
【００３４】
トップシート２４は、目的のために適当な、すなわち柔軟なおよび液体浸透性の、任意の材料からなる。一般にみられるトップシート２４の材料の例は、不織布材料、穿孔されたプラスチックフィルム、プラスチックまたは布地のメッシュおよび流体透過性の発泡体層である。また、トップシートは、流体透過性の着用者に面する表面の異なる部分内で異なる材料からなるので、２つ以上のトップシート材料からなる積層体も、一般に採用される。
【００３５】
バックシート８は、流体不透過性である。しかしながら、単に流体をはじくバックシートの材料は、特に、相対的に少量の尿が取り込まれることが予期される場合において、使用されてもよい。バックシート８は、一般に、薄い可撓性、流体不透過性のプラスチックフィルムによって構成されるが、しかし、流体不透過性の不織布材料、流体不透過性の発泡体および流体不浸透性の積層体もまた、本発明の範囲内で検討される。バックシート８は通気性があってもよく、空気および／または蒸気がバックシート８を通過してもよいことを意味する。さらに、バックシート８は、不織布のような布地材料の、外側の衣服に面する表面を有していてもよい。
【００３６】
吸収性コア９は、セルロースフラッフパルプ、発泡体、繊維の詰め物等の１つまたは複数の層のような、当技術分野で知られる任意の適当な吸収性体または流体取り込み材料で構成されていてもよい。吸収性コア９は、ヒドロゲルの形成の際に大量の流体を吸収および保持する能力を有する材料である、超吸収性体として一般に知られる高度に吸収性のポリマー材料の繊維または粒子を含有していてもよい。超吸収性体は、セルロースフラッフパルプと混合されてもよく、および／または吸収性コア９のポケットまたは層に配置されてもよい。繊維はパルプ繊維であってもよく、および超吸収性材料はポリアクリレートベースの粒子であってもよい。
【００３７】
吸収性コア９は、吸収性コア９の性質を改善するための成分をさらに組み込んでもよい。そのような成分のいくつかの例は、当技術分野で知られるバインダー繊維、流体分散材料、濡れ標識等である。
【００３８】
パッド２００は、全ての方向に完全に延伸されたとき、細長い、概して長方形状を有する。。砂時計形状、台形形状、三角形状、卵形等のような、任意の適当な形状は、吸収性製品のために使用される。本発明の製品の形状は、製品を通る横軸中心線に関して対称であってもよく、または異なる形状および／または異なるサイズを有する端部部分を備える非対称であってもよい。
【００３９】
パッド２００は、吸収性製品を通る長手中心線と同一の方向に概して延びる２つの長手側縁１１、１２を有する。前端縁１３および後端縁１４は、典型的には、吸収性製品の端部で長手中心線に対して横方向に延びる。後端縁１４は、吸収性物品の使用の間、後方に配向されることが意図され、および前端縁１３は、着用者の腹部に向かって前方に面することが意図される。パッド２００は、前端部分１５と、後端部分１７と、端部分１５、１７の中間に位置する股部分１６と、を有する。股部分１６は、製品の使用の間、着用者の股に対して置かれ、およびパッド２００に達する体液のための主な取得領域を構成することが意図される部分である。
【００４０】
パッド２００は、１枚の下着のパンツのようなサポートパンツ衣服の内側に吸収性製品を締結するための締結手段をさらに含んでいてもよい。締結手段は、バックシート８の衣服に面する表面に配置された長手方向に延びる２つの感圧接着剤の帯の形状であってもよい。締結手段は、解除可能な保護層、例えば、シリコン処理された紙、不織布または本技術分野で知られる任意の他の解除可能な材料によって覆われ得る。サポートパンツ衣服内に吸収性製品を置く前に、保護層は締結手段から取り除かれ、接着剤を露出させおよびパンツ衣服に締結するために利用可能にする。
【００４１】
弾性要素１８、１９は、側縁に沿って吸収性コア９の横方向外側に配置されてもよい。弾性要素１８、１９は、弾性材料の帯であってもよい。弾性要素１８、１９は、吸収性製品の任意付加的な成分であり、省略されてもよい。
【００４２】
締結手段は、本発明にとって任意付加的であり、所望であれば、省略されてもよい。接着剤の締結手段を使用するとき、バックシートの全面コーティング、１つまたは複数の長手方向の接着剤の帯、横断方向の帯、点、円、曲線、星等のような、任意の適当な接着剤のパターンは、使用されてもよい。さらに、締結手段は、フック型のファスナー、クリップ、ホック等のような機械的なファスナーであってもよく、または、摩擦コーティングのような摩擦ファスナー、またはオープンセル型発泡体であってもよい。また、異なるタイプのファスナーの組み合わせは、考えられる。
【００４３】
図２Ａにおける臭気制御材料１は、吸収性コア９の上方に、およびトップシート２４の下方にトップシート２４と直接接して、位置する。しかしながら、吸収性製品が液体捕捉および分配層を含んでいることも可能であり、および臭気制御材料は、そのような製品において、液体捕捉および分配層と吸収性コアとの間、または製品において他の層間に位置していてもよい。パッド２００の吸収性コア９は、第１の吸収性層２０と第２の吸収性層２１とを含む。また、臭気制御材料１は、吸収性製品において、第１の吸収性層２０と第２の吸収性層２１との間に配置されていてもよい。
【００４４】
吸収性層２０、２１は、均質構造であってもよく、またはそれぞれにおいて同一のまたは異なる材料の吸収性積層体のような層構造であってもよい。吸収性層は、均一の厚さを有していてもよく、または層の異なる部分において厚さが変動してもよい。同様に、坪量および組成は吸収性層内で変動してもよい。例として、吸収性層は、吸収性および／または非吸収性繊維と超吸収性材料との混合物を含んでいてもよく、超吸収性材料の繊維に対する割合は層内で変動してもよい。
【００４５】
第１および第２の吸収性層２０、２１は、拡大された端部分と股部分における狭い部分とを備える砂時計形状、または長方形状のような、任意の適当な形状を有していてもよい。第２の吸収性層２１は、第１の吸収性層２０の下方に置かれている。第１の吸収性層２０は、第２の吸収性層２１よりも小さい。第２の吸収性層２１は、第１の吸収性層２０よりも、さらに、吸収性製品における前方および後方に延びている。しかしながら、吸収性コアは、また、１つの単一層のみを含んでいてもよく、または１つまたは複数のさらなる吸収性層を含んでいてもよい。また、異なる層のサイズは変動してもよく、および図２Ａおよび図２Ｂにおいて説明された吸収性コア９は、本発明のために適当な吸収性コアの単に１つの例である。
【００４６】
図２Ａおよび図２Ｂに例示される吸収性製品２０における臭気制御材料１は、長方形状を有し、および長手方向および横断方向において、吸収性コアの部分によって囲まれてもよい。また、臭気制御材料１のための他の形状および構成が使用されてもよい。
【００４７】
図２Ｂにおいて、線ＩＩ−ＩＩに沿った、図２Ａの吸収性製品の断面図が示される。そこで、パッド２００は、液体透過性トップシート２４と、液体不透過性バックシート８と、トップシート２４とバックシート８との間に封入された吸収性コア９と、を有し、および臭気制御材料１は、トップシート２４と吸収性コア９との間に位置する。また、図２Ｂにおいて、キャリア材料２は、第１の表面２２と、反対側の第２の表面２３と、を有し、第１の表面２２は液体透過性トップシート２４に面し、および第２の表面２３は吸収性コア９に面することが示される。さらに、臭気制御粒子３は、臭気制御粒子３と結合される表面が吸収性コア９に面するように、キャリア材料２の第２の表面２３に結合される。
【００４８】
実施例
（実施例１）活性炭粒子の比表面積
この試験は、水溶性バインダー物質で覆われた活性炭粒子の比表面積を、試料を濡らす前と試料を濡らした後とで比較するために行われた。また、水溶性バインダー物質を有していない試料も測定された。活性炭粒子の比表面積は、他の物質との吸着および／または相互作用のために利用可能であるバインダー物質の面積を決定する。ここでいう比表面積は、ＢＥＴ−表面積として定義される。ＢＥＴ−理論は、固体表面に対する気体分子の吸着を説明し、および第１の層の吸着のためのエネルギーに関する仮定に基づく。脱着後の気体の体積を測定することによって、比表面積は計算される。その方法は、Ｂｒｕｎａｕｅｒ、Ｅｍｍｅｔｔ、及びＴｅｌｌｅｒによって確立された。当業者は、測定を実行するための慣用の計器を知っているであろう。
【００４９】
試験された試料：
１．  バインダー物質を有していない活性炭粒子。
２．  水溶性バインダー物質で覆われた活性炭粒子。水溶性物質は、分子量が４０ｋＤａであるポリビニルピロリドンである。
３．  水溶性バインダー物質で覆われた活性炭粒。水溶性物質は、分子量が４０ｋＤａであるポリビニルピロリドンである。試料が水溶性バインダー物質で覆われた後、試料が濡らされた。濡らす手順は次のとおりである：  摂氏３５度の温度の０．９％の食塩水５０ｍｌを試料の上に慎重に注いで水分吸収によって濾過される。湿式フィルターを有するブフナー漏斗が使用される。次に、試料を有するフィルターが、摂氏８０度のオーブン内で２４時間、乾燥させる。その後、試料が粉砕される。
【００５０】
ＢＥＴ測定を３つの試料に行ったところ、下記の結果となった。
【００５１】
【表１】
0006391696.tif 000002
【００５２】
この結果は、水溶性バインダー物質で覆われた活性炭粒子を有しているが濡れていない試料は、濡れた後の試料よりも小さい比表面積となっていることを示している。このように、試料を濡らすことによって、得られる比表面積は、１３１ｍ２／ｇから２３８ｍ２／ｇまで大きく増大する。
【００５３】
バインダー物質の無い未処理の活性炭粒子を有する試料の比表面積は、より高い比表面積となっている。しかしながら、先に説明したとおり、そのような粉末は、ダスティングの問題に起因して、乾式工程において取り扱いが非常に困難である。粉末は、処理設備および製品の両方を汚染する可能性がある。
【００５４】
（実施例２）バインダー物質の溶解
この試験は、１分間にどのくらいのバインダー物質が、調整された食塩水中に溶解されたかを調べるために行われた。
【００５５】
材料：
食塩水、温度３５−３７℃、
ボルテックス装置  ＩＫ  ＭＳ２、速度１５００ｒｐｍ、
試験管１５ｍｌ、
フィルター紙、２層、Ｔｏｒｋ  ２３ｇ／ｍ２、
漏斗、
バインダー物質、厚さ３００−２０００ｐｍ、５０重量％の活性炭を有する。
【００５６】
【表２】
0006391696.tif 000003
【００５７】
活性炭を有する０．０２ｇのバインダー物質が試験管に加えられた。各材料は、１〜３個であった。３ｍｌの調整された食塩水が試験管の中へ注ぎ入れられて、その試験管は直ぐにボルテックス上に置かれた。１分後、試験管の中身が濾過された。濾過後、フィルター紙が折り畳まれて、溶解及び／又は軟化されてフィルター紙上に分布した材料の割合に関して目視評価を行った。
【００５８】
【表３】
0006391696.tif 000004
【００５９】
４０ｋＤａ未満の分子量を有するショ糖及びグルコースの混合物の水溶性バインダー物質の試料Ｃの溶解は、１００％であり、ここで、水不溶性バインダー物質の参考試料Ｄは０％であった。４０ｋＤａよりも大きい分子量を有する水溶性バインダー物質の試料Ａおよび試料Ｂは、溶解が１００％未満となっている。このように、本発明の範囲内である試料Ｃだけが、１００％の溶解となる試料である。
【００６０】
（実施例３）吸収性構造における比表面積の測定
実施例３における臭気制御粒子は活性炭粒子であった。臭気制御材料は、キャリア材料の第２の表面が吸収性コアに面してキャリア材料が第２の表面に結合された活性炭粒子を有する状態で、吸収性コアの上に置かれた。したがって、実施例３における比表面積（ｍ２／ｇ）は、材料の総重量の１グラム（ｇ）当たりの炭素粒子の表面積（ｍ２）である。実施例３における材料の総重量は、臭気制御材料の重量と吸収性コアの重量との合計である。吸収性コアは、セルロース繊維及び超吸収性粒子から構成され、吸収性コアの重量は約９９０ｇ／ｍ２であった。
【００６１】
ここでいう比表面積は、ＢＥＴ−表面積として定義される。当業者は、測定を実行するための慣用の計器を知っているであろう。粒子の比表面積が大きいほど、臭気吸着性能は良くなる。
【００６２】
試験された試料
（試料１）
吸収性コア及び臭気制御材料、ここで、活性炭の粒子がキャリア材料の第２の表面に水不溶性バインダー物質で結合されている。
【００６３】
（試料２）
吸収性コア及び臭気制御材料、ここで、活性炭の粒子がキャリア材料の第２の表面に水溶性バインダー物質で結合されている。水溶性バインダー物質は、分子量が４０ｋＤａである分子量のポリビニルピロリドンである。
【００６４】
試料１と試料２との唯一の相違点は、試料１ではバインダー物質が水不溶性であるのに対し、試料２ではバインダー物質が水溶性であることだけである。
【００６５】
【表４】
0006391696.tif 000005
【００６６】
この結果は、複数の臭気制御粒子が試料２のように水溶性バインダーによってキャリア材料の第２の表面に結合されている場合、複数の臭気制御粒子が試料１のように水不溶性バインダーによってキャリア材料の第２の表面に結合されている場合に比べて、得られる比表面積は、１００％以上増大することを示している。
【００６７】
（実施例４）吸収性製品における臭気制御材料の位置決め
製品の厚さ方向における臭気制御材料の位置（バックシートの近く、吸収性コア内の２つの層間の製品の中央、またはトップシートの直下）が臭気抑制にどのように影響を与えるかを調べるために、官能評価が行われた。
【００６８】
試験された吸収性製品：
１．  臭気制御材料を備えない失禁用パッド（参照）
２．  バックシートの真上に臭気制御材料を備える失禁用パッド
３．  吸収性コア内の層間に臭気制御材料を備える失禁用パッド
４．  トップシートの真下に臭気制御材料を備える失禁用パッド
【００６９】
失禁用パッドは、トップシートと、バックシートと、それらの間の吸収性コアとを有する。吸収性コアは２つの層を含んでおり、第１の層はトップシートに面しており、および第２の層はバックシートに面していた。トップシートに面する第１の層は、第２の層よりも、パッドの平面において小さい総表面積を有していた。臭気制御材料は、第１の吸収性層と同一のサイズ（表面積）を有していた。第１の吸収性層は失禁用パッドの総表面の約５０％を覆い、したがって同様に、臭気制御材料は失禁用パッドの総表面の約５０％を覆った。臭気制御材料は、製品において３つの異なる場所、製品の最上部、吸収性コアの間、および製品の底部に置かれた。ジアセチル（２５０ｎｇ／ｍｌ）、ジメチル三硫化物（１４ｎｇ／ｍｌ）および３−メチルブタナール（４０ｎｇ／ｍｌ）を含有する臭気溶液は、臭気評価が行われる前に各製品に加えられた。
【００７０】
臭気制御粒子は、活性炭粒子であり、キャリア材料は発泡体材料であった。
【００７１】
１１人の回答者がいた。回答者は、試験製品の臭気強度を判定し、および非常に弱い（０）から非常に強い（１）まで表示が付けられた線目盛にマークを付けるように求められた。臭気制御材料を有さない参照製品に関する相対的な臭気強度を、線目盛上の１に設定した。
【００７２】
回答者の判定から計算した平均値は、以下の結果を与えた。
【００７３】
【表５】
0006391696.tif 000006
【００７４】
この官能評価の結果は、活性炭物質の配置は、トップシートの真下にそれが置かれたときに匂いがより弱く、２つの吸収性コアの間にそれが置かれたときに匂いがより強く、および製品の底部にそれが置かれたときに匂いが最も強かったことを示す。
【００７５】
（実施例５）キャリア材料の両面上の活性炭粒子と比較された、キャリア材料の片面上の活性炭粒子
キャリア材料は、第１の表面と反対側の第２の表面とを有する。臭気抑制は、第１の表面および第２の表面に結合された活性炭を有するキャリア材料に関して測定された。また、臭気抑制は、キャリア材料の第２の表面のみに活性炭を備えるキャリア材料に関して測定された。また、臭気抑制は、臭気制御材料を備えない失禁用パッドに関して測定された。
【００７６】
試験された吸収性製品：
１．  臭気制御材料を備えない失禁用パッド（参照）
２．  両面に活性炭がコーティングされた発泡体を備える失禁用パッド
３．  片面のみに活性炭がコーティングされた発泡体を備える失禁用パッド
【００７７】
失禁用パッド２に関して、発泡体の各面は２５ｇｓｍの活性炭がコーティングされ、そのため炭素の総量は５０ｇｓｍであった。吸収性製品における発泡体は片面のみに活性炭がコーティングされた失禁用パッド３に関し、この面は、５０ｇｓｍの炭素でコーティングされた。したがって、炭素の総量は、吸収性製品２および吸収性製品３に関して同一であった。
【００７８】
臭気減少は、以下の方法で評価された。ジアセチル、３−メチルブタナール、ＤＭＴＳおよびｐ−クレゾールを用いた混合物は、失禁用パッドに加えられた。失禁用パッドは、気密のガラスチャンバー内に置かれ、溶液と上部空間との間で平衡が達成され得るように、３５℃での培養のために放置された。上部空間は、ＳＰＭＥ−繊維（固相マイクロ抽出−繊維）によってサンプリングされ、次いでＧＣ−ＭＳ（ガスクロマトグラフィー質量分析）システムを用いて分析された。個々の臭気物質は検出され、および臭気減少は、活性炭粒子を備える試料に関するピーク面積を活性炭粒子を備えない試料に関するピーク面積で割ることによって計算された。活性炭粒子を備える試料は、単に、活性炭粒子を備えない試料（参照）と比較され、同一バッチの臭気混合物が使用され、および活性炭粒子を備える試料と活性炭粒子を備えない試料（参照）とは、常に同日に分析された。
【００７９】
【表６】
0006391696.tif 000007
【００８０】
両面にコーティングされた炭素粒子を有する失禁用パッド２と、片面のみにコーティングされた炭素粒子を有する失禁用パッド３と、の間に臭気減少の違いは見られなかったので、片側のみに炭素粒子を有する場合に臭気減少は低下しない。
【符号の説明】
【００８１】
１     臭気制御材料
２     キャリア材料
３     第１の表面
４     第２の表面
５     臭気制御粒子
８     バックシート
９     吸収性コア
１０   縁接合部
１１   長手側縁
１２   長手側縁
１３   前端縁
１４   後端縁
１５   前端部分
１６   股部分
１７   後端部分
１８   弾性要素
１９   弾性要素
２０   第１の吸収性層
２１   第２の吸収性層
２２   第１の表面
２３   第２の表面
２４   トップシート
【図１】
0006391696.tif 000008
【図２Ａ】
0006391696.tif 000009
【図２Ｂ】
0006391696.tif 000010